(57)【特許請求の範囲】
【請求項１】
原稿から画像を読み取る画像読取機構、及び被記録媒体に対して画像を形成する画像形成機構のうち、少なくとも一方である画像処理機構と、
画像を表示する表示手段と、
前記画像処理機構による画像処理に関する複数の設定が予め組み合わされた設定の組であるプリセット設定組を複数記憶するプリセット設定組記憶手段と、
前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、
前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、
プリセット設定組の設定値の表示を指令する利用者操作が受け付けられた場合に、前記選択状態態様で表示されているアイコンに対応するプリセット設定組の設定値を前記表示手段に表示させる詳細設定画面表示制御手段と、
前記表示手段に表示されたプリセット設定組の設定値のうちいずれかを変更する旨の利用者操作が受け付けられた場合に、変更後の設定値を記憶手段に記憶させる設定値記憶制御手段と、
前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、
前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作が受け付けられた場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段と
を備えることを特徴とする画像処理装置。
【請求項２】
原稿から画像を読み取る画像読取機構、及び被記録媒体に対して画像を形成する画像形成機構のうち、少なくとも一方である画像処理機構と、
画像を表示する表示手段と、
前記画像処理機構による画像処理に関する複数の設定が予め組み合わされた設定の組であるプリセット設定組を複数記憶するプリセット設定組記憶手段と、
前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、
前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、
プリセット設定組の設定値の表示を指令する出力信号が出力された場合に、前記選択状態態様で表示されているアイコンに対応するプリセット設定組の設定値を前記表示手段に表示させる詳細設定画面表示制御手段と、
前記表示手段に表示されたプリセット設定組の設定値のうちいずれかを変更する旨の出力信号が出力された場合に、変更後の設定値を記憶手段に記憶させる設定値記憶制御手段と、
前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、
前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作を示す出力信号が出力された場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段と
を備えることを特徴とする画像処理装置。
【請求項３】
前記プリセット設定組の詳細表示を指令する利用者操作、及び前記詳細設定画面に表示されたプリセット設定組の設定値を更新する旨の利用者操作は、画像に対する利用者操作を受け付ける機能をさらに備えた、前記表示手段により受け付けられる
ことを特徴とする請求項１又は請求項２に記載の画像処理装置。
【請求項４】
前記スタートボタンは、前記表示手段に配置される
ことを特徴とする請求項１〜請求項３のいずれか一項に記載の画像処理装置。
【請求項５】
前記プリセット設定組選択画面表示制御手段は、前記アイコンに加え、前記スタートボタンを前記表示手段に表示させ、
前記プリセット設定組更新済画面表示制御手段は、前記選択状態態様で表示されていた一つのアイコン、及び前記スタートボタンを、前記プリセット設定組選択画面表示制御手段による表示位置と同一位置に表示させる
ことを特徴とする請求項１〜請求項４のいずれか一項に記載の画像処理装置。
【請求項６】
前記詳細設定画面表示制御手段は、前記スタートボタンを前記表示手段に配置せずに、前記選択状態態様で表示されているアイコンに対応するプリセット設定組の設定値を前記表示手段に表示させる
ことを特徴とする請求項１〜請求項５のいずれか一項に記載の画像処理装置。
【請求項７】
前記スタートボタンは、前記表示手段に複数表示されるとともに、各スタートボタンには、前記画像処理機構による画像処理に関する設定について、互いに異なる設定値が割り当てられており、
前記画像処理機構制御手段は、前記選択状態にあるアイコンに対応するプリセット設定組に加えて、操作された一つの前記スタートボタンに割り当てられた設定値にも従って前記画像処理機構を制御することにより、前記画像処理機構による画像処理を実行する
ことを特徴とする請求項１〜請求項６のいずれか一項に記載の画像処理装置。
【請求項８】
前記プリセット設定組選択画面表示制御手段は、前記表示手段に表示されたプリセット設定組の設定値を変更しない旨の利用者操作が受け付けられた場合、又は前記表示手段に表示されたプリセット設定組の設定値を変更する旨の利用者操作が受け付けられたものの、変更前後で設定値が同じであった場合、前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させる
を備えることを特徴とする請求項１に記載の画像処理装置。
【請求項９】
前記プリセット設定組選択画面表示制御手段は、前記表示手段に表示されたプリセット設定組の設定値を変更しない旨の出力信号が出力された場合、又は前記表示手段に表示されたプリセット設定組の設定値を変更する旨の出力信号が出力されたものの、変更前後で設定値が同じであった場合、前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させる
を備えることを特徴とする請求項２に記載の画像処理装置。
【請求項１０】
前記プリセット設定組更新済画面表示制御手段は、前記プリセット設定組選択画面表示制御手段によって前記選択状態態様で表示されていた一つのアイコンに対応するプリセット設定組の設定値のうち、変更する旨の利用者操作の対象とならなかった設定値と、前記変更後の設定値と、のうち少なくともいずれかと、前記プリセット設定組選択画面表示制御手段によって前記選択状態態様で表示されていた一つのアイコンと、を、前記表示手段に表示させる
ことを特徴とする請求項１〜請求項９のいずれか一項に記載の画像処理装置。
【請求項１１】
前記プリセット設定組更新済画面表示制御手段は、前記プリセット設定組選択画面表示制御手段によって前記非選択状態態様で表示されていたアイコンの表示位置に、前記プリセット設定組選択画面表示制御手段によって前記選択状態態様で表示されていた一つのアイコンに対応するプリセット設定組の設定値のうち、変更する旨の利用者操作の対象とならなかった設定値と、前記変更後の設定値と、のうち少なくともいずれかを前記表示手段に表示させる
ことを特徴とする請求項１０に記載の画像処理装置。
【請求項１２】
前記プリセット設定組更新済画面表示制御手段は、前記変更後の設定値を前記表示手段に表示させる
ことを特徴とする請求項１０又は請求項１１に記載の画像処理装置。
【請求項１３】
前記プリセット設定組選択画面表示制御手段が前記選択状態態様で表示させたアイコンに対応するプリセット設定組の設定値を一時記憶手段に記憶させ、選択状態変更手段が前記選択状態態様で表示させたアイコンに対応するプリセット設定組の設定値を前記一時記憶手段に上書きさせる設定値上書制御手段を備え、
前記画像処理機構制御手段は、前記一時記憶手段に記憶されたプリセット設定組の設定値に従って前記画像処理機構を制御することにより、前記画像処理機構による画像処理を実行する
ことを特徴とする請求項１〜請求項１２のいずれか一項に記載の画像処理装置。
【請求項１４】
原稿から画像を読み取る画像読取機構、及び被記録媒体に対して画像を形成する画像形成機構のうち、少なくとも一方である画像処理機構
を備える画像処理装置を制御する制御部を、
前記画像処理機構による画像処理に関する複数の設定が予め組み合わされた設定の組であるプリセット設定組を複数記憶するプリセット設定組記憶手段と、
前記複数のプリセット設定組それぞれに対応する複数のアイコンのうち、一つのアイコンは選択状態にあることを示す態様である選択状態態様で、表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、
前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、
プリセット設定組の設定値の表示を指令する利用者操作が受け付けられた場合に、前記選択状態態様で表示されているアイコンに対応するプリセット設定組の設定値を前記表示手段に表示させる詳細設定画面表示制御手段と、
前記表示手段に表示されたプリセット設定組の設定値のうちいずれかを変更する旨の利用者操作が受け付けられた場合に、変更後の設定値を記憶手段に記憶させる設定値記憶制御手段と、
前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、
前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作が受け付けられた場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段
として機能させることを特徴とするプログラム。
【請求項１５】
原稿から画像を読み取る画像読取機構、及び被記録媒体に対して画像を形成する画像形成機構のうち、少なくとも一方である画像処理機構
を備える画像処理装置を制御する制御部を、
前記画像処理機構による画像処理に関する複数の設定が予め組み合わされた設定の組であるプリセット設定組を複数記憶するプリセット設定組記憶手段と、
前記複数のプリセット設定組それぞれに対応する複数のアイコンのうち、一つのアイコンは選択状態にあることを示す態様である選択状態態様で、表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、
前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、
プリセット設定組の設定値の表示を指令する出力信号が出力された場合に、前記選択状態態様で表示されているアイコンに対応するプリセット設定組の設定値を前記表示手段に表示させる詳細設定画面表示制御手段と、
前記表示手段に表示されたプリセット設定組の設定値のうちいずれかを変更する旨の出力信号が出力された場合に、変更後の設定値を記憶手段に記憶させる設定値記憶制御手段と、
前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、
前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作を示す出力信号が出力された場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段
として機能させることを特徴とするプログラム。
【発明の詳細な説明】
【技術分野】
【０００１】
本発明は、画像処理装置及びプログラムに関する。
【背景技術】
【０００２】
従来、プリント機能、スキャン機能、コピー機能、及びファクシミリ送受信機能などの各種機能を兼ね備えた複合機（ＭＦＰ；Multifunction Peripheral）において、タッチパネルディスプレイを備えるものが知られている（例えば、特許文献１参照。）。このような複合機では、上述のような各種機能を利用するに当たって、タッチパネルディスプレイ上での利用者操作により、各種パラメータの設定変更を行うことができる。
【０００３】
また、このような各種パラメータの設定変更を行うに当たって、複数の設定項目それぞれを個別に変更する作業には手間がかかるので、比較的よく利用される設定に関しては、いくつかのプリセット設定組が用意されているものもある。
【０００４】
このような複合機では、例えば、テキスト印刷用、写真印刷用などの用途を想定して、各用途で好適な設定値を複数の設定項目それぞれに予め設定し、それら複数の設定が組み合わされた設定の組がプリセット設定組として不揮発性メモリ等に記憶される。そして、複数組あるプリセット設定組の中からいずれかを任意に選択する利用者操作が行われた場合には、不揮発性メモリ等からプリセット設定組が読み出され、その後の画像処理において利用される。
【０００５】
さらに、このようなプリセット設定組のいずれかを選択した後、更に一部の設定項目について設定値を個別に変更できる複合機もある。このような複合機であれば、プリセット設定組を選択するだけで、大半の設定項目を簡単に設定できる上に、一部の設定項目に関しては、利用者の好みに合わせた変更などができる。
【先行技術文献】
【特許文献】
【０００６】
【特許文献１】特開２００７−３００２８９号公報
【発明の概要】
【発明が解決しようとする課題】
【０００７】
しかし、上述のような複合機において、利用者操作で一部の設定項目を更新した後、誤って別のプリセット設定組を選択する利用者操作が行われるようなことがあると、そのような誤操作によって選択された設定内容が、最新の設定内容となってしまう。
【０００８】
そのため、利用者があらためて誤操作直前の設定内容を復元したい場合には、もう一度所期のプリセット設定組を選択する操作、及び一部の設定項目を更新する操作などをやり直す必要があり、相応に面倒な手間がかかる、という問題があった。
【０００９】
なお、このような問題は、複合機の印刷設定についてのみ起きる問題ではなく、複合機のスキャン設定、ＦＡＸ設定でも起き得る問題である。また、プリント機能を備えたプリンタの印刷設定や、スキャン機能を備えたスキャナのスキャン設定でも起き得る問題でもある。
【００１０】
本発明は、上記問題を解決するためになされたものであり、その目的は、利用者操作で一部の設定項目を更新した後に、誤って別のプリセット設定組を選択する利用者操作が行われてしまうのを防止することにある。
【課題を解決するための手段】
【００１１】
以下、本発明において採用した構成について説明する。
本発明の画像処理装置は、原稿から画像を読み取る画像読取機構、及び被記録媒体に対して画像を形成する画像形成機構のうち、少なくとも一方である画像処理機構と、画像を表示する表示手段と、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、プリセット設定組の設定値の表示を指令する利用者操作が受け付けられた場合に、前記選択状態態様で表示されているアイコンに対応するプリセット設定組の設定値を前記表示手段に表示させる詳細設定画面表示制御手段と、前記表示手段に表示されたプリセット設定組の設定値のうちいずれかを変更する旨の利用者操作が受け付けられた場合に、変更後の設定値を記憶手段に記憶させる設定値記憶制御手段と、前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作が受け付けられた場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段とを備えることを特徴とする。
【００１２】
このような画像処理装置によれば、プリセット設定組選択画面制御手段による表示がなされた状態では、選択状態にあるアイコンを見て、その時点で選択されているプリセット設定組を確認できる。そして、必要なら所望のプリセット設定組に変更、不要ならプリセット設定組の変更を省略して、後はスタートボタンに対する操作を行うだけで、画像処理機構による画像処理を実行できる。
【００１３】
また、プリセット設定組選択画面制御手段による表示がなされた状態では、選択状態にあるアイコン及び非選択状態にあるアイコンの双方が表示され、この段階では、非選択状態にあるアイコンを選択状態に変更する旨の操作が可能となる。一方、プリセット設定組更新済画面制御手段による表示がなされた状態では、選択状態にあるアイコンは表示されるものの、非選択状態にあるアイコンについては非表示とされ、非選択状態にあるアイコンを選択状態に変更する旨の操作が不可能となる。
【００１４】
したがって、詳細設定画面制御手段による表示がなされた状態でプリセット設定組の設定値を更新した後も、プリセット設定組選択画面制御手段による表示がなされた状態と同等な表示及び操作が可能な状態となるものとは異なり、非選択状態にあるアイコンを選択状態に変更する旨の操作がなされたことに起因して、更新後のプリセット設定組が別のプリセットの設定に置き換わってしまう、といったトラブルが発生するのを未然に防止することができる。
【００１５】
なお、本発明の画像処理装置は、次のような技術として把握することもできる。すなわち、本発明の画像処理装置は、原稿から画像を読み取る画像読取機構、及び被記録媒体に対して画像を形成する画像形成機構のうち、少なくとも一方である画像処理機構と、画像を表示する表示手段と、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、プリセット設定組の設定値の表示を指令する出力信号が出力された場合に、前記選択状態態様で表示されているアイコンに対応するプリセット設定組の設定値を前記表示手段に表示させる詳細設定画面表示制御手段と、前記表示手段に表示されたプリセット設定組の設定値のうちいずれかを変更する旨の出力信号が出力された場合に、変更後の設定値を記憶手段に記憶させる設定値記憶制御手段と、前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作を示す出力信号が出力された場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段とを備えることを特徴とするものでもある。
【００１６】
ところで、本発明の画像処理装置において、前記プリセット設定組の詳細表示を指令する利用者操作、及び前記詳細設定画面に表示されたプリセット設定組の設定値を更新する旨の利用者操作は、画像に対する利用者操作を受け付ける機能をさらに備えた、前記表示手段により受け付けられると好ましい。
【００１７】
また、本発明の画像処理装置において、前記スタートボタンは、前記表示手段に配置されると好ましい。
また、本発明の画像処理装置において、前記プリセット設定組選択画面表示制御手段は、前記アイコンに加え、前記スタートボタンを前記表示手段に表示させ、前記プリセット設定組更新済画面表示制御手段は、前記選択状態態様で表示されていた一つのアイコン、及び前記スタートボタンを、前記プリセット設定組選択画面表示制御手段による表示位置と同一位置に表示させると好ましい。
【００１８】
このような画像処理装置によれば、詳細設定画面制御手段による表示がなされた状態でプリセット設定組の設定値を変更後、プリセット設定組更新済画面制御手段による表示がなされた状態では、選択状態にあるアイコン及びスタートボタンが、プリセット設定組選択画面制御手段による表示がなされた状態の場合と同一の位置に表示される。したがって、プリセット設定組更新済画面制御手段による表示がなされた状態に移行した場合でも、選択状態にあるアイコンを見て、その時点で選択されているプリセット設定組を確認し、スタートボタンに対する操作を行う、という一連の操作は、プリセット設定組選択画面制御手段による表示がなされた状態で実施する操作と同等になる。よって、プリセット設定組選択画面制御手段による表示がなされた状態とプリセット設定組更新済画面制御手段による表示がなされた状態で操作感の統一を図ることができ、利用者はより直感的な操作で所期の操作を行うことができるようになる。
【００１９】
また、本発明の画像処理装置において、前記詳細設定画面表示制御手段は、前記スタートボタンを前記表示手段に配置せずに、前記選択状態態様で表示されているアイコンに対応するプリセット設定組の設定値を前記表示手段に表示させると好ましい。
【００２０】
このような画像処理装置によれば、詳細設定画面制御手段による表示がなされた状態において、選択状態態様で表示されているアイコンに対応するプリセット設定組の設定値を確認でき、その際、誤ってスタートボタンに対する操作を行ってしまう、といったトラブルが発生するのを未然に防止することができる。
【００２１】
また、本発明の画像処理装置において、前記スタートボタンは、前記表示手段に複数表示されるとともに、各スタートボタンには、前記画像処理機構による画像処理に関する設定について、互いに異なる設定値が割り当てられており、前記画像処理機構制御手段は、前記選択状態にあるアイコンに対応するプリセット設定組に加えて、操作された一つの前記スタートボタンに割り当てられた設定値にも従って前記画像処理機構を制御することにより、前記画像処理機構による画像処理を実行すると好ましい。
【００２２】
このような画像処理装置によれば、複数のプリセット設定組と複数のスタートボタンを組み合わせて選択することができるので、それらの組み合わせ総数に相当するプリセット設定組や、それらのプリセット設定組すべてに対応するアイコンを用意しなくても、多彩な設定を簡便に指定することができる。
【００２３】
また、本発明の画像処理装置において、前記プリセット設定組選択画面表示制御手段は、前記表示手段に表示されたプリセット設定組の設定値を変更しない旨の利用者操作が受け付けられた場合、又は前記表示手段に表示されたプリセット設定組の設定値を変更する旨の利用者操作が受け付けられたものの、変更前後で設定値が同じであった場合、前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させると好ましい。
【００２４】
あるいは、前記プリセット設定組選択画面表示制御手段は、前記表示手段に表示されたプリセット設定組の設定値を変更しない旨の出力信号が出力された場合、又は前記表示手段に表示されたプリセット設定組の設定値を変更する旨の出力信号が出力されたものの、変更前後で設定値が同じであった場合、前記複数のプリセット設定組それぞれに対応する複数のアイコンのうち、一つのアイコンは選択状態にあることを示す態様である選択状態態様で前記表示手段に表示させ、残りのアイコンについては非選択状態にあることを示す態様であって前記選択状態にあることを示す態様とは異なる態様である非選択状態態様で前記表示手段に表示させると好ましい。
【００２５】
これらのような画像処理装置によれば、詳細設定画面制御手段による表示がなされた状態に移行した場合でも、プリセット設定組の設定値を更新しない結果となった場合には、再びプリセット設定組選択画面制御手段による表示がなされるので、プリセット設定組更新済画面制御手段による表示がなされた状態へ移行する場合とは異なり、プリセット設定組選択画面制御手段による表示が再びなされた状態において、複数のアイコンから所望のプリセット設定組を選択する操作を実行できる。
【００２６】
また、本発明の画像処理装置において、前記プリセット設定組更新済画面表示制御手段は、前記プリセット設定組選択画面表示制御手段によって前記選択状態態様で表示されていた一つのアイコンに対応するプリセット設定組の設定値のうち、変更する旨の利用者操作の対象とならなかった設定値と、前記変更後の設定値と、のうち少なくともいずれかと、前記プリセット設定組選択画面表示制御手段によって前記選択状態態様で表示されていた一つのアイコンと、を、前記表示手段に表示させると好ましい。
【００２７】
このような画像処理装置によれば、プリセット設定組更新済画面制御手段による表示がなされた後、プリセット設定組の設定値を確認しつつ、スタートボタンに対する操作を実施できる。
【００２８】
また、本発明の画像処理装置において、前記プリセット設定組更新済画面表示制御手段は、前記プリセット設定組選択画面表示制御手段によって前記非選択状態態様で表示されていたアイコンの表示位置に、前記プリセット設定組選択画面表示制御手段によって前記選択状態態様で表示されていた一つのアイコンに対応するプリセット設定組の設定値のうち、変更する旨の利用者操作の対象とならなかった設定値と、前記変更後の設定値と、のうち少なくともいずれかを前記表示手段に表示させると好ましい。
【００２９】
このような画像処理装置によれば、プリセット設定組選択画面制御手段による表示がなされた状態では非選択状態にあるアイコンの表示に利用されていたものの、プリセット設定組更新済画面制御手段による表示がなされた状態では非選択状態にあるアイコンの表示には利用されていない領域を、プリセット設定組の設定値を表示するために利用しているので、プリセット設定組更新済画面制御手段による表示がなされた際の表示領域を有効利用して、プリセット設定組の設定値を表示することができる。
【００３０】
また、本発明の画像処理装置において、前記プリセット設定組更新済画面表示制御手段は、前記変更後の設定値を前記表示手段に表示させると好ましい。
このような画像処理装置によれば、プリセット設定組更新済画面制御手段による表示がなされた後、所望の設定値に更新されていることを、より確実に確認できる。
【００３１】
また、本発明の画像処理装置において、前記プリセット設定組選択画面表示制御手段が前記選択状態態様で表示させたアイコンに対応するプリセット設定組の設定値を一時記憶手段に記憶させ、選択状態変更手段が前記選択状態態様で表示させたアイコンに対応するプリセット設定組の設定値を前記一時記憶手段に上書きさせる設定値上書制御手段を備え、前記画像処理機構制御手段は、前記一時記憶手段に記憶されたプリセット設定組の設定値に従って前記画像処理機構を制御することにより、前記画像処理機構による画像処理を実行すると好ましい。
【００３２】
このような画像処理装置によれば、複数組のプリセット設定組があるにもかかわらず、どのプリセット設定組が選択されても、その設定値が一時記憶手段に上書きで記憶されるので、画像処理機構制御手段が画像処理機構を制御する際には、どのプリセット設定組が選択されたかを考慮することなく、一時記憶手段から設定値を読み出して制御を行うことができる。
【００３３】
また、本発明のプログラムは、原稿から画像を読み取る画像読取機構、及び被記録媒体に対して画像を形成する画像形成機構のうち、少なくとも一方である画像処理機構を備える画像処理装置を制御する制御部を、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で、表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、プリセット設定組の設定値の表示を指令する利用者操作が受け付けられた場合に、前記選択状態態様で表示されているアイコンに対応するプリセット設定組の設定値を前記表示手段に表示させる詳細設定画面表示制御手段と、前記表示手段に表示されたプリセット設定組の設定値のうちいずれかを変更する旨の利用者操作が受け付けられた場合に、変更後の設定値を記憶手段に記憶させる設定値記憶制御手段と、前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作が受け付けられた場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段として機能させることを特徴とする。
【００３４】
このようなプログラムによって、上述のような画像処理装置の制御部を、上述した各手段として機能させれば、本発明の画像処理装置と同様の作用、効果を奏する。
さらに、本発明のプログラムは、次のような技術として把握することもできる。すなわち、本発明のプログラムは、原稿から画像を読み取る画像読取機構、及び被記録媒体に対して画像を形成する画像形成機構のうち、少なくとも一方である画像処理機構を備える画像処理装置を制御する制御部を、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で、表示手段に表示させ、残りのアイコンについては非選択状態にあることを示す態様であって前記選択状態にあることを示す態様とは異なる態様である非選択状態態様で前記表示手段に表示させるプリセット設定組選択画面表示制御手段と、前記非選択状態態様で表示されている一つのアイコンを前記選択状態態様で表示させる旨の利用者操作が受け付けられた場合に、前記選択状態態様で表示されている一つのアイコンを前記非選択状態態様で表示させる選択状態変更手段と、プリセット設定組の設定値の表示を指令する出力信号が出力された場合に、前記選択状態態様で表示されているアイコンに対応するプリセット設定組の設定値を前記表示手段に表示させる詳細設定画面表示制御手段と、前記表示手段に表示されたプリセット設定組の設定値のうちいずれかを変更する旨の出力信号が出力された場合に、変更後の設定値を記憶手段に記憶させる設定値記憶制御手段と、前記設定値記憶制御手段によって、前記変更後の設定値が記憶された場合に、前記プリセット設定組選択画面表示制御手段によって前記選択状態態様で表示されていた一つのアイコンを前記表示手段に表示させる一方、前記非選択状態で表示されていた前記残りのアイコンを前記表示手段に表示させないプリセット設定組更新済画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行し、前記プリセット設定組更新済画面表示制御手段によって前記アイコンが前記表示手段に表示されている状態において、スタートボタンに対する利用者操作を示す出力信号が出力された場合に、表示されているアイコンに対応するプリセット設定組の設定値のうち、変更する旨の利用者操作の対象とならなかった設定値と、前記変更後の設定値と、に従って前記画像処理機構を制御することにより、前記画像処理機構による画像処理を実行する画像処理機構制御手段として機能させることを特徴とするものでもある。
【図面の簡単な説明】
【００３５】
【図１】複合機の内部構成を示すブロック図。
【図２】液晶ディスプレイに表示される画面の例を示す説明図（その１）。
【図３】液晶ディスプレイに表示される画面の例を示す説明図（その２）。
【図４】第一実施形態の設定変更処理を示すフローチャート（その１）。
【図５】第一実施形態の設定変更処理を示すフローチャート（その２）。
【図６】第二実施形態の設定変更処理を示すフローチャート（その１）。
【図７】第二実施形態の設定変更処理を示すフローチャート（その２）。
【図８】第三実施形態の設定変更処理を示すフローチャート（その３）。
【発明を実施するための形態】
【００３６】
次に、本発明の実施形態について、具体的な例を挙げて説明する。
〔１〕第一実施形態
［複合機の構成］
複合機１は、図１（ａ）に示すように、制御部１１、画像読取部１２、画像形成部１３、ネットワーク通信部１４、電話通信部１５、及び操作パネル部１６などを備えている。
【００３７】
制御部１１は、周知のＣＰＵ、ＲＯＭ、ＲＡＭ、及びＮＶＲＡＭなどを備えるマイクロコンピュータを中心に構成されている。この制御部１１において、ＣＰＵはＲＯＭに記憶されたプログラムに従って後述する処理を実行し、これにより、複合機１の各部が制御されている。
【００３８】
画像読取部１２は、イメージセンサ、自動原稿送り装置（Automatic Document Feeder；ＡＤＦ）などによって構成され、ＡＤＦによって搬送される原稿又はフラットベッドのプラテンガラス上に置かれた原稿からイメージセンサで画像を読み取り、その画像を表す画像データを生成することができる。画像形成部１３は、インクジェット方式あるいは電子写真方式などを採用した画像形成機構によって構成され、シート状の被記録媒体（例えば記録用紙）に対して画像を記録することができる。
【００３９】
ネットワーク通信部１４は、ネットワークインターフェースカード（Network Interface Card；ＮＩＣ）等によって構成される。電話通信部１５は、モデム等によって構成され、電話回線（図示略）を介して通信を行う際に利用される。
【００４０】
操作パネル部１６は、液晶ディスプレイ部１６Ａ、内照式表示部１６Ｂ、及びタッチパネル部１６Ｃによって構成される。
これらのうち、液晶ディスプレイ部１６Ａは、任意の画像をフルカラーで表示可能なＬＣＤモジュールによって構成されている。この液晶ディスプレイ部１６Ａには、各種アイコンや利用者操作用ボタンなどの画像、及び各種情報を示すテキストなどが、操作状況に応じて動的に表示される。
【００４１】
内照式表示部１６Ｂは、図１（ｂ）に示すように、テンキーやその他の利用者操作用ボタンを示す画像が表示される部分である。この内照式表示部１６Ｂの前面パネル上には、各画像が表示されることとなる位置に対応付けて光透過部が設けられ、各光透過部の背後に設けられた発光素子を点灯させると、透過光によって各画像が所定の色で発光表示される。なお、液晶ディスプレイ部１６Ａの表示面と内照式表示部１６Ｂの表示面は、同一面上に位置するように配設されている。
【００４２】
タッチパネル部１６Ｃは、周知の方式（例えば静電容量方式など）で指先や操作子によるタッチ操作を検出可能な透明なフィルム状の入力デバイスである。このタッチパネル部１６Ｃは、液晶ディスプレイ部１６Ａ及び内照式表示部１６Ｂの表示面に重ねて配置されている。本実施形態においては、タッチパネル部１６Ｃによってタッチ操作が検出された際、タッチ操作された位置に応じた出力信号がタッチパネル部１６Ｃから制御部１１に出力される。制御部１１は、出力信号に基づいて、そのタッチ操作が、ドラッグ操作やフリック操作などのスライド操作なのか、あるいはシングルタップ操作やダブルタップ操作などのタップ操作なのか、ピンチ操作なのか、を判断する。制御部１１は、また、液晶ディスプレイ部１６Ａの表示面と重なる範囲、及び内照式表示部１６Ｂによって表示される画像と重なる位置に対するタッチ操作であるか否かも判断する。制御部１１は、判断したタッチ操作の種類と位置とに対応する処理を実行する。
【００４３】
［タッチ操作に伴う画面遷移の概要］
次に、複合機１の操作パネル部１６でタッチ操作を行ったときの画面遷移の概要を説明する。複合機１の電源スイッチがオンにされた際、制御部１１は、液晶ディスプレイ部１６Ａの表示領域である領域２１Ａ，２１Ｂのうち、領域２１Ａに、図２（ａ）に示す「基本画面」を表示する。
【００４４】
この領域２１Ａにおいて、利用者が領域２１Ａ右端付近にある三角印に対するタッチ操作、又は領域２１Ａを左方向（図中矢印Ａ１方向）へスライドさせる操作（フリック操作又はドラッグ操作）を行うと、そのような利用者操作が、領域２１Ａの表示内容を左方向へスクロールさせる利用者操作としてタッチパネル部１６Ｃによって受け付けられ、この場合、制御部１１は領域２１Ａの表示内容を左方向へスクロールさせる。
【００４５】
また、利用者が領域２１Ａ左端付近にある三角印に対するタッチ操作、又は領域２１Ａを右方向（図中矢印Ａ２方向）へスライドさせる操作（フリック操作又はドラッグ操作）を行うと、そのような利用者操作がタッチパネル部１６Ｃによって受け付けられ、制御部１１が、領域２１Ａの表示内容を右方向へスクロールさせる利用者操作として判断する。この場合、制御部１１は領域２１Ａの表示内容を右方向へスクロールさせる。なお、以上の他、「基本画面」を表示する際、制御部１１は、日付、時刻、無線通信状態、インク残量、設定ボタンなどを領域２１Ａに表示する。
【００４６】
このような「基本画面」を表示した状態において、領域２１Ａを左方向へスクロールさせる利用者操作がタッチパネル部１６Ｃによって受け付けられると、制御部１１は領域２１Ａの表示内容をスクロールさせ、図２（ｂ）に示す「便利な機能画面」を領域２１Ａに表示する。なお、このとき、無線通信状態、インク残量、設定ボタンなど、一部の表示物については、スクロールさせることなく領域２１Ａ内に残される。
【００４７】
このような「便利な機能画面」が表示された後、更に領域２１Ａを左方向へスクロールさせる利用者操作がタッチパネル部１６Ｃによって受け付けられると、制御部１１は図２（ｃ）に示す「お気に入り画面」を領域２１Ａに表示する。なお、「お気に入り画面」は、ほぼ同等な「お気に入り１画面」、「お気に入り２画面」、及び「お気に入り３画面」の三つがあり、「お気に入り１画面」が表示された後、更に領域２１Ａを左方向へスクロールさせる利用者操作が繰り返されると、制御部１１は「お気に入り２画面」、「お気に入り３画面」を順に表示する。
【００４８】
「お気に入り３画面」が表示された状態で、更に領域２１Ａを左方向へスクロールさせる利用者操作がタッチパネル部１６Ｃによって受け付けられると、制御部１１は「基本画面」を表示する。以降は、利用者操作に応じて上述のような画面遷移を繰り返す状態になる。すなわち、領域２１Ａの表示内容を左方向へスクロールさせると、「基本画面」を含む五つの画面が循環表示される。また、領域２１Ａの表示内容を右方向へスクロールさせた場合は、上述の順序とは逆の順序で各画面が循環表示される。
【００４９】
一方、左側にある領域２１Ｂには、ファクス、コピー、スキャンといった複合機１の機能に対応するアイコンが表示される。この領域２１Ｂの表示内容は、領域２１Ａの表示内容がスクロールする場合でもスクロールせず、常に同じ内容が表示される。
【００５０】
利用者が複合機１の機能に対応するアイコンに対するタッチ操作を行うと、制御部１１は、これらの機能ごとのトップページとなる画面を、液晶ディスプレイ部１６Ａに表示する。以下、利用者がコピーアイコンにタッチした場合を例に挙げて説明を続けると、この場合、制御部１１は、図３（ａ）に示すような「プリセット設定組選択画面」を液晶ディスプレイ部１６Ａに表示する。
【００５１】
「プリセット設定組選択画面」は、液晶ディスプレイ部１６Ａの表示領域を三つの領域２５Ａ，２５Ｂ、２５Ｃに分割し、上段の領域２５Ａには各種情報、中段の領域２５ｂにはプリセット設定組に対応するプリセット設定組アイコン、下段の領域２５Ｃには詳細設定ボタン、モノクロコピースタートボタン、カラーコピースタートボタンといったボタン群を表示した画面である。
【００５２】
これらの領域２５Ａ〜２５Ｃのうち、領域２５Ｂは、利用者操作に応じて左右方向（図中矢印Ａ１，Ａ２方向）にスクロールする領域とされており、具体的には、利用者が領域２５Ｂを左又は右方向へスライドさせる操作（フリック操作又はドラッグ操作）を行うと、そのような利用者操作がタッチパネル部１６Ｃによって受け付けられ、制御部１１は領域２５Ｂの表示内容を、利用者操作で指定された方向へスクロールさせる。そして、このスクロールに伴って領域２５Ｂの中央に移動した一つのアイコンが選択状態のアイコンとされ、選択状態にあることを示すフォーカスが付与される。また、選択状態にあるアイコンの左右両側には、選択状態にあるアイコン以外の非選択状態にあるアイコンが表示される。
【００５３】
この状態で、モノクロコピースタートボタン、又はカラーコピースタートボタンのいずれかがタッチ操作されると、選択状態にあるアイコンに対応するプリセット設定と、スタートボタンで指定されたモノクロ／カラーの設定とを組み合わせて、コピーが開始される。
【００５４】
また、「プリセット設定組選択画面」で詳細設定ボタンがタッチ操作されると、制御部１１は、図３（ｂ）に示す「詳細設定画面」を、液晶ディスプレイ部１６Ａに表示する。「詳細設定画面」は、液晶ディスプレイ部１６Ａの表示領域を三つの領域２７Ａ，２７Ｂ、２７Ｃに分割し、左の領域２７Ａには設定項目とその設定値、中央の領域２７Ｂにはスクロールバー、右の領域２７Ｃにはショートカット登録ボタン、ＯＫボタンといったボタン群、選択状態にあるプリセット設定組に対応するプリセット設定組アイコンなどを表示した画面である。
【００５５】
これらの領域２７Ａ〜２７Ｃのうち、領域２７Ａは、利用者操作に応じて上下方向（図中矢印Ａ３，Ａ４方向）にスクロールする領域とされており、具体的には、利用者が領域２７Ａを上又は下方向へスライドさせる操作（フリック操作又はドラッグ操作）を行うと、そのような利用者操作がタッチパネル部１６Ｃによって受け付けられ、制御部１１は領域２７Ａの表示内容を、利用者操作で指定された方向へスクロールさせる。そして、このスクロールに伴って表示領域から外れた位置にある設定項目すべてを確認可能とされている。
【００５６】
この状態で、設定項目のいずれかがタッチ操作されると、制御部１１は、図３（ｃ）に示すような、設定項目ごとの「選択肢表示画面」を、液晶ディスプレイ部１６Ａに表示する。「選択肢表示画面」は、液晶ディスプレイ部１６Ａの表示領域を二つの領域２９Ａ，２９Ｂに分割し、左の領域２９Ａには設定項目に設定可能な設定値の選択肢、右の領域２９Ｂにはショートカット登録ボタン、選択状態にあるプリセット設定組に対応するアイコンなどを表示した画面である。なお、右の領域２９Ｂの表示物は、一部が「詳細設定画面」の右の領域２７Ｃと共通である。
【００５７】
図３（ｃ）に例示した「選択肢表示画面」は、設定項目「コピー画質」に対応する「選択肢表示画面」であり、この場合、選択肢として、標準、高速、高画質の三つが選択できるようになっている。これらの選択肢を、利用者はタッチ操作で選択することができ、そのような利用者操作を受け付けたら、制御部１１は、再び図３（ｂ）に示す「詳細設定画面」を、液晶ディスプレイ部１６Ａに表示する。
【００５８】
そして、「詳細設定画面」において、利用者がＯＫボタンをタッチ操作した場合、制御部１１は、設定変更が行われていなければ、再び図３（ａ）に示す「プリセット設定組選択画面」を液晶ディスプレイ部１６Ａに表示する一方、設定変更が行われていれば、図３（ｄ）に示す「プリセット設定組更新済画面」を液晶ディスプレイ部１６Ａに表示する。
【００５９】
「プリセット設定組更新済画面」は、液晶ディスプレイ部１６Ａの表示領域を三つの領域３１Ａ，３１Ｂ、３１Ｃに分割した画面で、各領域に表示される情報やボタンの一部は「プリセット設定組選択画面」と共通の画像とされている。具体的には、領域３１Ａの左方に表示されるコピー枚数、領域３１Ｂの中央にある選択状態のアイコン、領域３１Ｃにある各ボタンの画像は、「プリセット設定組選択画面」と共通とされ、これにより、両画面で操作性に統一感を持たせてある。
【００６０】
一方、「プリセット設定組更新済画面」には、「プリセット設定組選択画面」とは異なる部分もある。例えば、領域３１Ｂには、選択状態にあるアイコンは表示されるものの、非選択状態にあるアイコンは非表示とされる。また、非選択状態にあるアイコンが非表示とされたことで空いた部分のうち、領域３１Ｂの右方部分には、設定項目の設定値に関する情報が「プリセット設定組選択画面」よりも詳細に表示される。
【００６１】
さらに、領域３１Ａには、「プリセット設定組選択画面」にはないキャンセルボタンも表示される。キャンセルボタンがタッチ操作された場合、それまでの設定変更操作は無効となり、制御部１１は、図３（ａ）に示す「プリセット設定組選択画面」を液晶ディスプレイ部１６Ａに表示する。
【００６２】
また、モノクロコピースタートボタン、又はカラーコピースタートボタンのいずれかがタッチ操作されると、「プリセット設定組選択画面」の場合と同様に、選択状態にあるアイコンに対応するプリセット設定と、スタートボタンで指定されたモノクロ／カラーの設定とを組み合わせて、コピーが開始される。
【００６３】
なお、利用者が「詳細設定画面」及び「選択肢表示画面」にあるショートカット登録ボタンをタッチ操作すると、制御部１１は、その時点で設定されている設定項目の内容を、後から一括して設定可能とするためのショートカット情報を作成する。このショートカット情報を作成すると、図２（ｃ）に示した「お気に入り１画面」には、ショートカット情報に対応するアイコンが登録され、利用者は「お気に入り１画面」でアイコンをタッチ操作することにより、ショートカット情報として記憶された設定内容を一括設定することができる。
【００６４】
［設定変更処理］
次に、以上のような画面遷移を伴う設定変更処理を実現するため、複合機１において制御部１１によって実行される処理の内容を、図４及び図５に示すフローチャートに基づいて説明する。なお、以下は、図２（ａ）〜同図（ｃ）に示した各画面でコピーアイコンをタッチした際に開始される処理を例に挙げて説明するが、ファクスアイコンやスキャンアイコンをタッチした場合でも、設定変更に関する処理内容や表示内容はほぼ同様である。
【００６５】
この処理を開始すると、制御部１１は、まず、デフォルトのプリセット設定組の設定値をＲＡＭに展開する（Ｓ１０）。このＲＡＭは、設定変更の内容を一時的に記憶するための作業用メモリである。また、制御部１１は、設定値を変更したか否かを記憶させるためのフラグをオフにする（Ｓ２０）。
【００６６】
続いて、制御部１１は、図３（ａ）に示すような「プリセット設定組選択画面」を液晶ディスプレイ部１６Ａに表示し（Ｓ３０）、プリセット設定組アイコンがタッチされたか否か（Ｓ４０）、詳細設定ボタンがタッチされたか否か（Ｓ５０）、モノクロ又はカラーコピースタートボタンがタッチされたか否か（Ｓ６０）、フラグはオンか否か（Ｓ６５）、以上を順に判定する（Ｓ４０〜Ｓ６５：ＮＯ）。
【００６７】
これらＳ４０〜Ｓ６５の判定を順に行う中、プリセット設定組アイコンがタッチされた場合（Ｓ４０：ＹＥＳ）、制御部１１は、選択されたプリセット設定組の設定値をＲＡＭに展開して（Ｓ７０）、Ｓ４０へ戻る。これにより、ＲＡＭの内容が利用者操作に応じたプリセット設定組の内容に更新される。
【００６８】
また、モノクロ又はカラーコピースタートボタンがタッチされた場合（Ｓ６０：ＹＥＳ）、制御部１１は、ＲＡＭに展開された設定値と、いずれか一方のコピースタートボタンで指定されたモノクロ／カラーの設定とを組み合わせて、画像読取部１２及び画像形成部１３に対する制御を実行し（Ｓ８０）、これにより、コピーが開始される。
【００６９】
なお、Ｓ６５においては、フラグがオンでなければ（Ｓ６５：ＮＯ）、Ｓ４０へと移行する一方、フラグがオンであれば（Ｓ６５：ＹＥＳ）、Ｓ５０へと移行する。このフラグは、初期状態ではＳ２０でオフとされるため、その状態においては、上述の通り、制御部１１はＳ４０〜Ｓ６５の判定を順に行う状態となるが、後述する処理の中でオンとされる場合があり、その場合、制御部１１は、Ｓ４０の判定を行うことなく、Ｓ５０〜Ｓ６５の判定を順に行う状態となる。
【００７０】
一方、詳細設定ボタンがタッチされた場合は（Ｓ５０：ＹＥＳ）、図５へと進み、制御部１１は、図３（ｂ）に示すような「詳細設定画面」を表示し（Ｓ１１０）、設定項目がタッチされたか否か（Ｓ１２０）、ショートカット登録ボタンがタッチされたか否か（Ｓ１３０）、設定完了ボタンがタッチされたか否か又は戻るキーが押下されたか否か（Ｓ１４０）、以上を順に判定する（Ｓ１２０〜Ｓ１４０：ＮＯ）。
【００７１】
これらＳ１２０〜Ｓ１４０の判定を順に行う中、設定項目がタッチされた場合（Ｓ１２０：ＹＥＳ）、制御部１１は、図３（ｃ）に示すような「設定値一覧画面」を表示する（Ｓ１５０）。そして、設定値がタッチされたか否か（Ｓ１６０）、戻るキーが押下されたか否か（Ｓ１７０）を順に判定する（Ｓ１６０〜Ｓ１７０：ＮＯ）。
【００７２】
これらＳ１６０〜Ｓ１７０の判定を順に行う中、設定値がタッチされた場合（Ｓ１６０：ＹＥＳ）、制御部１１は、変更された設定値でＲＡＭを上書きする（Ｓ１８０）。これにより、ＲＡＭ内の記憶内容は、利用者操作による設定変更が反映された内容に更新される。そして、Ｓ１８０の後は、フラグをオンにして（Ｓ１９０）、Ｓ１１０へ戻る。
【００７３】
一方、Ｓ１６０〜Ｓ１７０の判定を順に行う中、戻るキーが押下された場合は（Ｓ１７０：ＹＥＳ）、Ｓ１８０及びＳ１９０を実行することなくＳ１１０へ戻る。この場合は、Ｓ１５０で「設定値一覧画面」を表示したものの、実質的な設定変更はなされないまま、「設定値一覧画面」を表示する前の状態に戻ることになる。
【００７４】
また、Ｓ１２０〜Ｓ１４０の判定を順に行う中、ショートカット登録ボタンがタッチされた場合（Ｓ１３０：ＹＥＳ）、制御部１１は、それまでに設定された設定値と、それに対応付けるショートカットアイコンとの対応をＮＶＲＡＭに記憶して（Ｓ２００）、図４及び図５に示す設定変更処理を終了する。なお、この場合、制御部１１は、図２（ｃ）に示した「お気に入り画面」を液晶ディスプレイ部１６Ａに表示する状態に移行し、そのＳ２００で記憶したショートカットアイコンを画面内に表示する。
【００７５】
また、Ｓ１２０〜Ｓ１４０の判定を順に行う中、設定完了ボタンがタッチされた場合又は戻るキーが押下された場合（Ｓ１４０：ＹＥＳ）、制御部１１は、フラグはオンか否かを判断する（Ｓ２１０）。Ｓ２１０で、フラグがオンでない場合は（Ｓ２１０：ＮＯ）、図４のＳ３０へと移行し、図３（ａ）に示すような「プリセット設定組選択画面」を液晶ディスプレイ部１６Ａに表示する（Ｓ３０）。すなわち、設定完了ボタンがタッチされた場合又は戻るキーが押下された場合でも、実質的な設定変更がなされていない場合（すなわち、Ｓ１８０〜Ｓ１９０が実行されていない場合）には、「プリセット設定組選択画面」を再表示する。
【００７６】
一方、Ｓ２１０で、フラグがオンである場合（Ｓ２１０：ＹＥＳ）、制御部１１は、図３（ｄ）に示す「プリセット設定組更新済画面」を液晶ディスプレイ部１６Ａに表示することにより、選択中のプリセット設定組のみ表示し、ＲＡＭに記憶されている設定値を表示する（Ｓ２２０）。Ｓ２２０では、設定変更の対象となった設定項目の設定値を、領域３１Ｂの右方に表示する。
【００７７】
そして、制御部１１は、キャンセルが押下されたか否かを判断し（Ｓ２３０）、キャンセルが押下された場合は（Ｓ２３０：ＹＥＳ）、図４に示すＳ１０へと移行し、この設定変更処理開始直後の初期状態へと戻る。また、キャンセルが押下されていない場合は（Ｓ２３０：ＹＥＳ）、図４に示すＳ６０へと移行する。したがって、ここでモノクロ又はカラーコピースタートボタンがタッチされれば（Ｓ６０：ＹＥＳ）、制御部１１は、設定変更が行われたＲＡＭの設定値と、いずれか一方のコピースタートボタンで指定されたモノクロ／カラーの設定とを組み合わせて、画像読取部１２及び画像形成部１３に対する制御を実行し、これにより、コピーが開始される。
【００７８】
［効果］
以上説明したように、上記複合機１によれば、図３（ａ）に示す「プリセット設定組選択画面」では、選択状態にあるアイコンを見て、その時点で選択されているプリセット設定組を確認できる。そして、必要なら所望のプリセット設定組に変更、不要ならプリセット設定組の変更を省略して、後はスタートボタン（上記実施形態では、モノクロ又はカラーコピーの開始を指令するためのスタートボタンを例示。）に対する操作を行うだけで、画像処理機構による画像処理を実行できる。
【００７９】
また、図３（ａ）に示す「プリセット設定組選択画面」では、選択状態にあるアイコン及び非選択状態にあるアイコンの双方が表示され、この段階では、非選択状態にあるアイコンを選択状態に変更する旨の操作が可能となる。一方、図３（ｄ）に示す「プリセット設定組更新済画面」では、選択状態にあるアイコンは表示されるものの、非選択状態にあるアイコンについては非表示とされ、非選択状態にあるアイコンを選択状態に変更する旨の操作が不可能となる。
【００８０】
したがって、図３（ｂ）に示す「詳細設定画面」でプリセット設定組の設定値を更新した後も、「プリセット設定組選択画面」と同等な表示及び操作が可能な状態となるものとは異なり、非選択状態にあるアイコンを選択状態に変更する旨の操作がなされたことに起因して、更新後のプリセット設定組が別のプリセットの設定に置き換わってしまう、といったトラブルが発生するのを未然に防止することができる。
【００８１】
また、上記複合機１では、「詳細設定画面」でプリセット設定組の設定値を変更後、「プリセット設定組更新済画面」では、選択状態にあるアイコン及びスタートボタンが、「プリセット設定組選択画面」の場合と同一の位置に表示される（図３（ａ）及び同図（ｄ）参照。）。したがって、「プリセット設定組更新済画面」に移行した場合でも、選択状態にあるアイコンを見て、その時点で選択されているプリセット設定組を確認し、スタートボタンに対する操作を行う、という一連の操作は、「プリセット設定組選択画面」で実施する操作と同等になる。よって、「プリセット設定組選択画面」と「プリセット設定組更新済画面」で操作感の統一を図ることができ、利用者はより直感的な操作で所期の操作を行うことができるようになる。
【００８２】
また、上記複合機１では、「詳細設定画面」として、スタートボタンが配置されていない画面を表示するので、「詳細設定画面」でプリセット設定組の設定値を更新している最中に、誤ってスタートボタンに対する操作を行ってしまうことはなく、そのような中途半端な設定状態のまま画像処理（コピー、スキャン、ファクス送信など）を開始してしまう、といったトラブルが発生するのを未然に防止することができる。
【００８３】
さらに、上記複合機１では、複数のプリセット設定組の中からいずれかを選択できることに加え、モノクロコピースタートボタン又はカラーコピースタートボタンのいずれかを選択できる。したがって、両者の組み合わせ総数に相当するプリセット設定組や、それらのプリセット設定組すべてに対応するアイコンを用意しなくても、多彩な設定を簡便に指定することができる。
【００８４】
また、上記複合機１では、Ｓ１１０へと移行して「詳細設定画面」を表示した場合でも、キャンセルが押下された場合には（Ｓ２３０：ＹＥＳ）、Ｓ１０へと戻ってＳ３０で「プリセット設定組選択画面」が再表示されるので、「プリセット設定組更新済画面」へ移行する場合とは異なり、Ｓ４０〜Ｓ６０へと進むことで、Ｓ３０で再表示される「プリセット設定組選択画面」において、複数のアイコンから所望のプリセット設定組を選択する操作を実行できる。
【００８５】
また、上記複合機１では、「プリセット設定組更新済画面」に表示されている一つのアイコンに対応するプリセット設定組の設定値を、「プリセット設定組更新済画面」内に表示するので、「プリセット設定組更新済画面」を表示した後、所望の設定値に更新されていることを確認しつつ、スタートボタンに対する操作を実施できる。
【００８６】
また、上記複合機１では、「プリセット設定組選択画面」では非選択状態にあるアイコンの表示に利用されていたものの、「プリセット設定組更新済画面」では非選択状態にあるアイコンの表示には利用されていない領域を、プリセット設定組の設定値を表示するために利用しているので、「プリセット設定組更新済画面」内の領域を有効利用して、プリセット設定組の設定値を表示することができる。
【００８７】
また、上記複合機１では、更新された設定値を含むプリセット設定組の設定値を、「プリセット設定組更新済画面」内に表示するので、「プリセット設定組更新済画面」を表示した後、所望の設定値に更新されていることを、より確実に確認できる。
【００８８】
また、上記複合機１では、非選択状態にある一つのアイコンを選択状態に変更する旨の利用者操作が受け付けられた場合に（Ｓ４０：ＹＥＳ）、選択状態に変更されるアイコンに対応するプリセット設定組の設定値をＲＡＭに上書きで記憶させ、スタートボタンに対する利用者操作が受け付けられた場合には、ＲＡＭに記憶されたプリセット設定組の設定値に従って画像処理が実行されるので、その際、どのプリセット設定組が選択されたかを考慮することなく、単にＲＡＭに格納された設定値を読み出して画像処理に関する制御を行うことができる。
【００８９】
〔２〕第二実施形態
次に、第二実施形態について説明する。第二実施形態は、第一実施形態との共通部分が多いので、相違点を中心に詳述する。なお、第一実施形態との共通部分に関しては、第一実施形態と同じ符号を付すことにして、その詳細な説明を省略する。
【００９０】
［設定変更処理］
第二実施形態においては、設定変更処理を開始すると、図６に示すように、制御部１１は、まず、デフォルトのプリセット設定組の設定値をＲＡＭ１，ＲＡＭ２に展開する（Ｓ１５）。すなわち、第一実施形態では、Ｓ１０で単一のＲＡＭに設定値を展開していたが、これに代わるＳ１５では、設定値を二つのメモリ（ＲＡＭ１，ＲＡＭ２）に展開する。
【００９１】
そして、制御部１１は、Ｓ３０〜Ｓ６５については、第一実施形態と同等な処理を実行し、Ｓ４０〜Ｓ６５の判定を順に行う中、プリセット設定組アイコンがタッチされた場合（Ｓ４０：ＹＥＳ）、制御部１１は、選択されたプリセット設定組の設定値をＲＡＭ１，ＲＡＭ２に展開して（Ｓ７５）、Ｓ４０へ戻る。これにより、ＲＡＭ１，ＲＡＭ２の内容が利用者操作に応じたプリセット設定組の内容に更新される。
【００９２】
また、モノクロ又はカラーコピースタートボタンがタッチされた場合（Ｓ６０：ＹＥＳ）、制御部１１は、ＲＡＭ１に展開された設定値と、いずれか一方のコピースタートボタンで指定されたモノクロ／カラーの設定とを組み合わせて、画像読取部１２及び画像形成部１３に対する制御を実行し（Ｓ８５）、これにより、ＲＡＭ１に展開された設定値に従ったコピー処理が開始される。
【００９３】
一方、詳細設定ボタンがタッチされた場合は（Ｓ５０）、図７及び図８に示した処理へと進む。そして、Ｓ１１０〜Ｓ１３０については、第一実施形態と同等な処理を実行する。一方、第一実施形態のＳ１４０に代えて、第二実施形態では、設定完了ボタンがタッチされたか否か（Ｓ１４５）、戻るキーが押下されたか否か（Ｓ１４７）、これらを分けて判定し、Ｓ１２０〜Ｓ１４７の判定を順に実行する（Ｓ１２０〜Ｓ１４７：ＮＯ）。
【００９４】
これらＳ１２０〜Ｓ１４７の判定を順に行う中、設定項目がタッチされた場合（Ｓ１２０：ＹＥＳ）、Ｓ１５０〜Ｓ１７０，Ｓ１９０については、第一実施形態と同等な処理を実行する。そして、Ｓ１６０において、設定値がタッチされたと判断された場合（Ｓ１６０：ＹＥＳ）、制御部１１は、変更された設定値でＲＡＭ２を上書きする（Ｓ１８５）。すなわち、第一実施形態では、Ｓ１８０で単一のＲＡＭを上書きしていたが、第一実施形態のＳ１８０に代えて、第二実施形態では、Ｓ１８５において、ＲＡＭ２の上書きをするものの、ＲＡＭ１の記憶内容は保持される。
【００９５】
また、Ｓ１２０〜Ｓ１４７の判定を順に行う中、設定完了ボタンがタッチされた場合（Ｓ１４５）、Ｓ２１０，Ｓ２３０については第一実施形態と同等な処理を実行する。一方、第一実施形態のＳ２２０に代えて、第二実施形態では、ＲＡＭ２の設定値をＲＡＭ１に上書きして（Ｓ２２３）、選択中のプリセット設定組のみ表示し、ＲＡＭ１に記憶されている設定値を表示する（Ｓ２２５）。すなわち、Ｓ１８５でＲＡＭ２に格納された値は、Ｓ２２３において初めてＲＡＭ１に上書きされ、以降、Ｓ２２５で表示されるＲＡＭ１の設定内容の有効性が確定することになる。
【００９６】
一方、Ｓ１２０〜Ｓ１４７の判定を順に行う中、戻るキーが押下された場合は（Ｓ１４７：ＹＥＳ）、ＲＡＭ１の設定値をＲＡＭ２に上書きする（Ｓ２３５）。すなわち、第二実施形態では、戻るキーの役割が第一実施形態とは相違し、第一実施形態では、更新された設定値を元に戻すことなく画面を上位の画面に戻すだけであったが、第二実施形態では、更新された設定値を元に戻した上で、画面を上位の画面に戻している。
【００９７】
［効果］
以上説明したように、上記複合機１によれば、上述の第一実施形態と同様の作用、効果を奏する他、ＲＡＭ１，ＲＡＭ２を利用して、第一実施形態では実現できなかった、更新後の設定値を元に戻すことも実現できるようになる。
【００９８】
したがって、例えば、この処理で利用する作業用メモリが増大しても問題がない場合は、第二実施形態の構成を採用しておけば、誤った設定変更をした場合などには、設定内容を元に戻す作業が実施しやすくなる。一方、そのような作業が重要でなければ、第一実施形態の構成を採用することで、作業用メモリの使用量を削減することができる。
【００９９】
〔３〕その他の実施形態
以上、本発明の実施形態について説明したが、本発明は上記の具体的な一実施形態に限定されず、この他にも種々の形態で実施することができる。
【０１００】
例えば、上記実施形態では、詳細設定ボタン、モノクロコピースタートボタン、カラーコピースタートボタンが、液晶ディスプレイ部１６Ａに表示され、それらに対する入力操作をタッチパネル部１６Ｃで受け付けるように構成されていたが、いずれかのボタン又は全てのボタンが、タッチパネル部１６Ｃとは異なる入力手段（例えば、ボタンを備える入力装置）によって構成されていてもよい。
【０１０１】
また、上記実施形態では、タッチパネル部１６Ｃについては、周知の方式（例えば静電容量方式など）でタッチ操作を検出可能であればよい旨を説明したが、静電容量方式以外の方式としては、例えば、電磁誘導方式、赤外線方式、表面弾性波方式、抵抗膜方式などを利用することができる。
【０１０２】
また、上記実施形態では、液晶ディスプレイ部１６Ａ及び内照式表示部１６Ｂの双方で単一のタッチパネル部１６Ｃを共用する例を示したが、液晶ディスプレイ部１６Ａと内照式表示部１６Ｂとで、それぞれ別々のタッチパネル部が設けられていてもよい。その場合、それら別々のタッチパネル部は、同じ方式のものであってもよいが、それぞれ異なる方式のタッチパネル部であってもよい。例えば、一方は指先での操作に適した方式で、他方は操作子（例えば、操作用のペン）での操作に適した方式にするとか、一方は分解能が高い方式で、他方は分解能が低いものの安価な方式にする、といったことが可能である。
【０１０３】
また、上記実施形態では、表示デバイスである液晶ディスプレイ部１６Ａと入力デバイスであるタッチパネル部１６Ｃを重ねた構造にすることで、表示機能及び入力機能の双方を備える操作パネル部１６を構成してあったが、単一のデバイスで表示機能及び入力機能の双方を備えるデバイスを利用すれば、そのような単一のデバイスで操作パネル部１６を構成することもできる。
【０１０４】
さらに、上記実施形態では、図４及び図６に例示した処理中で、Ｓ４０〜Ｓ６５の判定を順に行っていたが、Ｓ６５の判断を行うか否かは任意であり、例えば、Ｓ６０でモノクロ又はカラーコピースタートボタンがタッチされていない場合には（Ｓ６０：ＮＯ）、Ｓ６５の判定を行うことなくＳ４０へと移行し、これにより、Ｓ４０〜Ｓ６０の判定を順に行うようにしてもよい。
【０１０５】
また、上記実施形態では、Ｓ１８０において、変更された設定値でＲＡＭを上書きしていたが、変更された設定値でＲＡＭを上書きせず、変更された設定値を新規に記憶するようにしてもよい。この場合、Ｓ６０：ＹＥＳとの判定後は、変更後の設定値と、変更を指示されなかった設定値と、スタートボタンで指定された設定とを組み合わせてコピーを開始すればよい。
【０１０６】
また、上記実施形態では、複合機１が備える制御部１１及び操作パネル部１６により、上述の各種表示及び各種入力の受け付けを実現する例を示したが、複合機１とパーソナルコンピュータ（ＰＣ）やスマートフォンなどの情報処理装置とを接続した場合は、それらの情報処理装置が備える制御部、表示部、及び入力部を利用して、上述の各種表示及び各種入力の受け付けを実現することも可能である。
【０１０７】
具体的には、図４から図８のフローチャートに示した各処理と同等な処理を、複合機１に接続された情報処理装置の制御部に実行させるプログラムを情報処理装置にインストールし、そのプログラムに従った処理を情報処理装置の制御部が実行する。これにより、情報処理装置が備える表示部及び入力部において、上述の各種表示及び各種入力の受け付けが実現され、例えば、図１から図３に示す画面は、情報処理装置が備える表示部に表示される。また、Ｓ８０，Ｓ８５のような複合機１が備える構成を制御する処理ステップは、情報処理装置から複合機１へコピー実行の指令を送信する処理ステップで代替され、これにより、複合機１側では、指令を受けた制御部１１が複合機１が備える構成を制御する。
【０１０８】
加えて、上記実施形態では、コピー機能に関する設定変更について例示したが、他の機能に関する設定変更についても、同様のユーザーインターフェースで実現できるのはもちろんである。
【０１０９】
また、上記実施形態では、ファクス機能、スキャン機能、コピー機能などを備える複合機１を例に挙げたが、単機能のプリンタ、単機能のイメージスキャナ、単機能のファクシミリ装置などにおいても、本発明の構成を採用することができる。また、上述したパーソナルコンピュータ（ＰＣ）やスマートフォンなどの情報処理装置を、表示部及び入力部として利用する構成とする場合にも、そのような情報処理装置での制御対象については、上述のような単機能のプリンタ、スキャナ、ファクシミリ装置とすることができる。この場合、情報処理装置では、図４から図８のフローチャートが示す処理と同等な処理を実行させるためのプログラムを利用して、それら単機能の機器を対象とした表示及び入力などを実行することとなる。
【符号の説明】
【０１１０】
１・・・複合機、１１・・・制御部、１２・・・画像読取部、１３・・・画像形成部、１４・・・ネットワーク通信部、１５・・・電話通信部、１６・・・操作パネル部、１６Ａ・・・液晶ディスプレイ部、１６Ｂ・・・内照式表示部、１６Ｃ・・・タッチパネル部。
【図１】
0005790402.tif 000002
【図４】
0005790402.tif 000003
【図５】
0005790402.tif 000004
【図６】
0005790402.tif 000005
【図７】
0005790402.tif 000006
【図８】
0005790402.tif 000007
【図２】
0005790402.tif 000008
【図３】
0005790402.tif 000009